(57)【要約】【課題】充電状態をユーザに適切に知らせることができるコードレス電話装置を提供すること。【解決手段】整流回路１０３から出力された直流電圧を分圧抵抗１０６で分枝し、分圧抵抗１０６で分枝された直流電圧の値をＡＤコンバータ１０７でデジタルデータにする。制御部６０は、ＡＤコンバータ１０７のデジタルデータ又は定電流回路１０４の電圧・電流特性に基づいて、実際に二次電池１０５に充電されている最中の直流電流又は直流電圧の値として、定電流回路１０４に入力される直流電圧ＶIN（すなわち、整流回路１０３から出力される直流電圧）又は、定電流回路１０４から出力される直流電流ＩAの値（すなわち、二次電池１０５の充電電流値）を算出する。さらに、制御部６０は、その算出結果に基づいて、二次電池１０５の充電状態を表示する。【選択図】図１
2008211928.tif 000002
【特許請求の範囲】
【請求項１】
交流を受電する受電部と、
前記受電部で受電した交流電力を直流電力にする整流回路と、
前記整流回路から出力された直流電流を一定電流とする定電流回路と、
前記整流回路から出力された直流電力が前記定電流回路を経て充電される二次電池と、
前記整流回路から出力された直流電圧を分枝する分圧抵抗と、
前記分圧抵抗で分枝された直流電圧の値をデジタルデータにするＡＤコンバータと、
前記ＡＤコンバータのデジタルデータ又は前記定電流回路の電圧・電流特性に基づいて前記二次電池の充電値を算出する演算部と、
前記演算部の算出結果に基づいて前記二次電池の充電状態を報知する第１報知部と、を備えたこと、を特徴とするコードレス電話装置。
【請求項２】
請求項１に記載するコードレス電話装置であって、
前記第１報知部は、前記演算部により算出された前記二次電池の充電値が第１所定値以上であれば前記二次電池の充電状態が正常状態である旨を報知すること、を特徴とするコードレス電話装置。
【請求項３】
請求項１又は請求項２に記載するコードレス電話装置であって、
前記第１報知部は、前記演算部により算出された前記二次電池の充電値が前記第１所定値以下であれば前記二次電池の充電状態が前記正常状態よりも充電時間が長くなる特殊状態である旨を報知すること、を特徴とするコードレス電話装置。
【請求項４】
請求項１乃至請求項３のいずれか一つに記載するコードレス電話装置であって、
前記第１報知部は、前記演算部により算出された前記二次電池の充電値が第２所定値以下であれば前記二次電池の充電状態が異常状態である旨を報知すること、を特徴とするコードレス電話装置。
【請求項５】
請求項１乃至請求項４のいずれか一つに記載するコードレス電話装置であって、
前記演算部により算出された前記二次電池の充電値に基づいて前記二次電池の充電時間を推定する推定部を、備えたこと、を特徴とするコードレス電話装置。
【請求項６】
請求項５に記載するコードレス電話装置であって、
前記推定部の推定結果を報知する第２報知部を、備えたこと、を特徴とするコードレス電話装置。
【請求項７】
請求項４に記載するコードレス電話装置であって、
前記演算部により算出された前記二次電池の充電値が第２所定値以下であれば前記二次電池の充電状態が異常状態である旨を外部接続機器にデータ送信する送信部を、備えたこと、を特徴とするコードレス電話装置。
【請求項８】
請求項１乃至請求項７のいずれか一つに記載するコードレス電話装置であって、
前記受電部は、一次側コイルが発生する磁束エネルギーにより交流を受電する二次側コイルであること、を特徴とするコードレス電話装置。
【請求項９】
直流を受電する受電部と、
前記受電部から出力された直流電流を一定電流とする定電流回路と、
前記受電部から出力された直流電力が前記定電流回路を経て充電される二次電池と、
前記受電部から出力された直流電圧を分枝する分圧抵抗と、
前記分圧抵抗で分枝された直流電圧の値をデジタルデータにするＡＤコンバータと、
前記ＡＤコンバータのデジタルデータ又は前記定電流回路の電圧・電流特性に基づいて前記二次電池の充電値を算出する演算部と、
前記演算部の算出結果に基づいて前記二次電池の充電状態を報知する第１報知部と、を備えたこと、を特徴とするコードレス電話装置。
【発明の詳細な説明】
【技術分野】
【０００１】
本発明は、充電状態を報知するコードレス電話装置に関するものである。
【背景技術】
【０００２】
従来、コードレス電話装置は、充電される際に充電器上に載置される。このとき、充電器との距離が短くなると、ハウリングが生じることがある。そこで、近年、そのハウリングを防止する発明に関連して、充電器に接近しているか否かを判断する技術が開発されている（例えば、特許文献１参照）。
【０００３】
この技術では、充電器に設けた励磁コイルから発せられる交流磁界を検出コイルで検出すると、電磁誘導によりその検出コイルの両端に発生する交流電力を整流回路に入力し、その整流回路から分枝した出力を比較器に入力し、その比較器で基準電圧値と比較することにより、充電器に接近しているか否かを判断する。
【特許文献１】特開平７−２２１８２５号公報（第４頁、第１図）
【発明の開示】
【発明が解決しようとする課題】
【０００４】
しかしながら、上記技術では、基準電圧値と比較する比較器を使用しているため、充電器に接近しているか否かの２通りの状態しか判断できなかった。
従って、この判断技術を充電状態に応用すると、充電しているか否かの２通りの状態しか判断することができない。よって、充電器上に載置されていれば、常に、充電している状態と判断されることになる。
【０００５】
従って、例えば、充電器上に載置されていても、接触型充電であれば充電用端子間にズレ・浮き・異物があり、あるいは、非接触型充電であればコイル間にズレ・浮き・異物があると、充電時間が長期に及んだり、充電が不能となったりするが、上記判断技術では、それらの充電状態をユーザに適切に知らせることができなかった。
また、充電器上に正しく載置されていても、接触型充電であれば充電用端子が被膜に覆われていると、同様にして、充電時間が長期に及んだり、充電が不能となったりするので、上記判断技術では、その充電状態をユーザに適切に知らせることができなかった。
【０００６】
そこで、本発明は、上述した点を鑑みてなされたものであり、充電状態をユーザに適切に知らせることができるコードレス電話装置を提供することを課題とする。
【課題を解決するための手段】
【０００７】
この課題を解決するために成された請求項１に係る発明は、コードレス電話装置であって、交流電力を受電する受電部と、前記受電部で受電した交流電力を直流電力にする整流回路と、前記整流回路から出力された直流電流を一定電流とする定電流回路と、前記整流回路から出力された直流電力が前記定電流回路を経て充電される二次電池と、前記整流回路から出力された直流電圧を分枝する分圧抵抗と、前記分圧抵抗で分枝された直流電圧の値をデジタルデータにするＡＤコンバータと、前記ＡＤコンバータのデジタルデータ又は前記定電流回路の電圧・電流特性に基づいて前記二次電池の充電値を算出する演算部と、前記演算部の算出結果に基づいて前記二次電池の充電状態を報知する第１報知部と、を備えたこと、を特徴とする。
【０００８】
請求項１に係る発明のコードレス電話装置では、交流電力が受電部で受電されると、受電部で受電された交流電力が整流回路で直流電力になる。そして、整流回路から出力された直流電力は、定電流回路で一定電流になった後に、二次電池に充電される。
ここで、整流回路から出力された直流電圧を分圧抵抗で分枝し、分圧抵抗で分枝された直流電圧の値をＡＤコンバータでデジタルデータにする。そして、演算部が、ＡＤコンバータのデジタルデータ又は定電流回路の電圧・電流特性に基づいて、実際に二次電池に充電されている最中の直流電流又は直流電圧の値として、二次電池の充電値を算出する。さらに、演算部の算出結果に基づいて、第１報知部が、二次電池の充電状態を報知する。
【０００９】
また、請求項２に係る発明は、請求項１に記載するコードレス電話装置であって、前記第１報知部は、前記演算部により算出された前記二次電池の充電値が第１所定値以上であれば前記二次電池の充電状態が正常状態である旨を報知すること、を特徴とする。
【００１０】
請求項２に係る発明のコードレス電話装置では、実際に二次電池に充電されている最中の直流電流又は直流電圧の値として、演算部により算出された二次電池の充電値が第１所定値以上であれば、第１報知部が、二次電池の充電状態が正常状態である旨を報知する。
【００１１】
また、請求項３に係る発明は、請求項１又は請求項２に記載するコードレス電話装置であって、前記第１報知部は、前記演算部により算出された前記二次電池の充電値が前記第１所定値以下であれば前記二次電池の充電状態が前記正常状態よりも充電時間が長くなる特殊状態である旨を報知すること、を特徴とする。
【００１２】
請求項３に係る発明のコードレス電話装置では、実際に二次電池に充電されている最中の直流電流又は直流電圧の値として、演算部により算出された二次電池の充電値が第１所定値以下であれば、第１報知部が、二次電池の充電状態が正常状態よりも充電時間が長くなる特殊状態である旨を報知する。
【００１３】
また、請求項４に係る発明は、請求項１乃至請求項３のいずれか一つに記載するコードレス電話装置であって、前記第１報知部は、前記演算部により算出された前記二次電池の充電値が第２所定値以下であれば前記二次電池の充電状態が異常状態である旨を報知すること、を特徴とする。
【００１４】
請求項４に係る発明のコードレス電話装置では、実際に二次電池に充電されている最中の直流電流の値として、演算部により算出された二次電池の充電値が第２所定値以下であれば、第１報知部が、二次電池の充電状態が異常状態である旨を報知する。
【００１５】
また、請求項５に係る発明は、請求項１乃至請求項４のいずれか一つに記載するコードレス電話装置であって、前記演算部により算出された前記二次電池の充電値に基づいて前記二次電池の充電時間を推定する推定部を、備えたこと、を特徴とする。
【００１６】
請求項５に係る発明のコードレス電話装置では、実際に二次電池に充電されている最中の直流電流又は直流電圧の値として、演算部により算出された二次電池の充電値に基づいて、推定部が、二次電池の充電時間を推定する。
【００１７】
また、請求項６に係る発明は、請求項５に記載するコードレス電話装置であって、前記推定部の推定結果を報知する第２報知部を、備えたこと、を特徴とする。
【００１８】
請求項６に係る発明のコードレス電話装置では、第２報知部が、推定部で推定した二次電池の充電時間を報知する。
【００１９】
また、請求項７に係る発明は、請求項４に記載するコードレス電話装置であって、前記演算部により算出された前記二次電池の充電値が第２所定値以下であれば前記二次電池の充電状態が異常状態である旨を外部接続機器にデータ送信する送信部を、備えたこと、を特徴とする。
【００２０】
請求項７に係る発明のコードレス電話装置では、実際に二次電池に充電されている最中の直流電流又は直流電圧の値として、演算部により算出された二次電池の充電値が第２所定値以下であれば、送信部が、二次電池の充電状態が異常状態である旨を外部接続機器にデータ送信する。
【００２１】
また、請求項８に係る発明は、請求項１乃至請求項７のいずれか一つに記載するコードレス電話装置であって、前記受電部は、一次側コイルが発生する磁束エネルギーにより交流を受電する二次側コイルであること、を特徴とする。
【００２２】
請求項８に係る発明のコードレス電話装置では、受電部は、一次側コイルが発生する磁束エネルギーにより交流を受電する二次側コイルであることから、二次電池に対して非接触型充電が行われる。
【００２３】
また、請求項９に係る発明は、コードレス電話装置であって、直流を受電する受電部と、前記受電部から出力された直流電流を一定電流とする定電流回路と、前記受電部から出力された直流電力が前記定電流回路を経て充電される二次電池と、前記受電部から出力された直流電圧を分枝する分圧抵抗と、前記分圧抵抗で分枝された直流電圧の値をデジタルデータにするＡＤコンバータと、前記ＡＤコンバータのデジタルデータ又は前記定電流回路の電圧・電流特性に基づいて前記二次電池の充電値を算出する演算部と、前記演算部の算出結果に基づいて前記二次電池の充電状態を報知する第１報知部と、を備えたこと、を特徴とする。
【００２４】
請求項９に係る発明のコードレス電話装置では、直流電力が受電部で受電されると、受電部から出力された直流電流は、定電流回路で一定電流になった後に、二次電池に充電される。
ここで、受電部から出力された直流電圧を分圧抵抗で分枝し、分圧抵抗で分枝された直流電圧の値をＡＤコンバータでデジタルデータにする。そして、演算部が、ＡＤコンバータのデジタルデータ又は定電流回路の電圧・電流特性に基づいて、実際に二次電池に充電されている最中の直流電流又は直流電圧の値として、二次電池の充電値を算出する。さらに、演算部の算出結果に基づいて、第１報知部が、二次電池の充電状態を報知する。
【発明の効果】
【００２５】
請求項１に係る発明のコードレス電話装置では、実際に二次電池に充電されている最中の直流電流又は直流電圧の値を算出していることから、二次電池の充電状態を３つ以上の複数の状態に区分けして報知することが可能であり、もって、充電状態をユーザに適切に知らせることができる。
特に、実際に二次電池に充電されている最中の直流電流又は直流電圧の関係は、定電流回路の電圧・電流特性に基づいており、二次電池の充電状態が不良になれば、常に、定電流回路の電圧・電流特性の線形部分に該当することから、その充電状態を多数の状態に区分けして判別することが可能となる。
【００２６】
請求項２に係る発明のコードレス電話装置では、実際に二次電池に充電されている最中の直流電流又は直流電圧の値と第１所定値の大小関係を使用することにより、３つ以上に区分けされる二次電池の充電状態の一つとして、充電が正常に行われている状態を検知でき、その状態をユーザに報知することができるので、その後のユーザ対応に貢献することが可能となる。
【００２７】
請求項３に係る発明のコードレス電話装置では、実際に二次電池に充電されている最中の直流電流又は直流電圧の値と第１所定値の大小関係を使用することにより、３つ以上に区分けされる二次電池の充電状態の一つとして、充電時間が普段よりも長くなる状態を検知でき、その状態をユーザに報知することができるので、その後のユーザ対応に貢献することが可能となる。
【００２８】
請求項４に係る発明のコードレス電話装置では、実際に二次電池に充電されている最中の直流電流又は直流電圧の値と第２所定値の大小関係を使用することにより、３つ以上に区分けされる二次電池の充電状態の一つとして、正常な充電ができない状態を検知でき、その状態をユーザに報知することができるので、その後のユーザ対応に貢献することが可能となる。
【００２９】
請求項５に係る発明のコードレス電話装置では、実際に二次電池に充電されている最中の直流電流又は直流電圧の値と二次電池の必要な充電量との関係から二次電池の充電時間を推定することで、充電に関する制御に役立たせることができる。
【００３０】
請求項６に係る発明のコードレス電話装置では、実際に二次電池に充電されている最中の直流電流又は直流電圧の値に基づいて推定した二次電池の充電時間をユーザに報知することで、その後のユーザ対応に貢献できる。
【００３１】
請求項７に係る発明のコードレス電話装置では、離れた位置に居るユーザに対し、データ送信が行われる外部接続機器を介して、正常な充電ができていない二次電池の充電状態を報知することができる。
【００３２】
請求項８に係る発明のコードレス電話装置では、一次側コイルと二次側コイルの間で非接触の送電が行われることから、二次電池に対して非接触型充電が行われるものであるが、上記各効果を発揮させることによって、一次側コイルと二次側コイルの間にズレ・浮き・異物があっても、その充電状態に見合った充電制御を行うことが可能である。
【００３３】
請求項９に係る発明のコードレス電話装置では、実際に二次電池に充電されている最中の直流電流又は直流電圧の値を算出していることから、二次電池の充電状態を３つ以上の複数の状態に区分けして報知することが可能であり、もって、充電状態をユーザに適切に知らせることができる。
特に、実際に二次電池に充電されている最中の直流電流又は直流電圧の関係は、定電流回路の電圧・電流特性に基づいており、二次電池の充電状態が不良になれば、常に、定電流回路の電圧・電流特性の線形部分に該当することから、その充電状態を多数の状態に区分けして判別することが可能となる。
【発明を実施するための最良の形態】
【００３４】
以下に、本発明が適用された実施形態について、図面を用いて説明する。
図４は電話装置１の斜視図であり、図２（ａ）は本発明の子機５０の背面を示す斜視図であり、図２（ｂ）は充電台８０の斜視図であり、図１と図３は電話装置１の電気的構成を表すブロック図である。
【００３５】
電話装置１は、電話回線網１００（図３参照）を介して音声通話を実現する機能（電話通話機能）や電話回線網１００を介して画像データの送受信を行う機能（ファクシミリ機能）等を有しており、図４に示すように、電話回線網１００に接続される親機１０と、その親機１０との間で無線回線を介して接続される子機５０と、図示しない外部電源に接続され、子機５０を着脱可能に載置し、載置された子機５０を所定の電圧で充電するための充電台８０とから構成されている。尚、本実施形態の電話装置１において、ファクシミリ機能に関連する構成要素は、本発明とは直接関係ないため説明は省略する。
【００３６】
親機１０は、その親機本体ケース１１の側部に、親機１０本体から取り外した状態で使用される送受話器であるハンドセット１２が取り付けられている。更に、親機本体ケース１１の上面には、各種機能に関連する情報を表示するための表示パネル１３と、相手側の電話番号を入力するためのダイヤルボタン１４ａ，表示パネル１３に表示されるメニュー画面等で選択するときに操作される選択ボタン１４ｂなどの各種操作ボタン１４が備えられている。尚、表示パネル１３は、表示画面を背面から照明するバックライト付の液晶ディスプレイ（ＬＣＤ）である。
【００３７】
子機５０は、ハンドセットの形状をした子機本体ケース５１の表面上に、各種機能に関連する情報を表示するための表示パネル５３と、相手側の電話番号を入力するためのダイヤルボタン５４ａ，外線通話を開始するときに操作される外線通話ボタン５４ｂ，通話を終了するときに操作される切ボタン５４ｃ，表示パネル５３に表示されるメニュー画面等で選択するときに操作される選択ボタン５４ｄ等の各種操作ボタン５４とが備えられている。
【００３８】
尚、表示パネル５３は、表示画面を背面から照明するバックライト付の液晶ディスプレイ（ＬＣＤ）である。充電台８０は、図２（ｂ）に示すように、子機５０を着脱可能に載置する載置用凹部８１ａが形成された充電台本体８１から構成される。
【００３９】
次に、電話装置１の電気的構成について、図３を用いて説明する。
親機１０は、親機１０全体の動作を制御する制御部２０，ハンドセット１２，表示パネル１３，操作ボタン１４，子機５０との間で音声信号（通話信号に相当）やデータ信号を無線通信により送受信する無線通信部３０等を備えている。
【００４０】
制御部２０には、操作ボタン１４からの出力信号、無線通信部３０からの出力信号（音声・データ信号）、電話装置１外部からの音声信号が入力される。
また、制御部２０は、電話装置１外部から入出力する音声信号の伝送先および伝送元となる伝送経路を設定する。具体的に説明すると、ハンドセット１２が親機１０本体から取り外された場合には、伝送経路をハンドセット１２に切り換え、子機５０により通話を開始するための通話開始操作が行われた場合には、伝送経路を無線通信部３０に切り換える。
【００４１】
更に、制御部２０は、子機５０との間で無線通信を行うためのデータ信号や音声信号を無線通信部３０に出力したり、ハンドセット１２及び無線通信部３０からの音声信号を電話装置１外部へ出力する。
【００４２】
無線通信部３０は、ＣＰＵ，ＲＡＭ，ＲＯＭ，Ａ／Ｄ変換器等からなる無線通信制御部３２と、ＥＥＰＲＯＭ３４と、コンパンダ３６と、子機５０との間で無線通信を行うためのＲＦモジュール３８と、を備えている。
【００４３】
コンパンダ３６は、子機５０から送信された無線信号をＲＦモジュール３８を介して取得し、その信号を音声信号とデータ信号とに切り分け、音声信号を制御部２０に送り、データ信号を無線通信制御部３２に送る。また、コンパンダ３６は、制御部２０からの音声信号や、無線通信制御部３２からのデータ信号をＲＦモジュール３８に送る。
【００４４】
ＲＦモジュール３８は、無線通信制御部３２と通信可能に構成されており、無線通信制御部３２からの指令に基づき、無線通信に使用する無線チャンネルを周波数の異なる複数の無線チャンネルの中から選択し、その選択した無線チャンネルを用いて、コンパンダ３６からの出力信号を子機５０へ送信すると共に、子機５０から送信されてくる無線信号を受信する。
【００４５】
尚、本実施形態において、ＲＦモジュール３８が無線通信に使用する無線チャンネルは、３８０ＭＨｚ帯にて各無線チャンネルの周波数間隔が１２．５ｋＨｚである８９個のチャンネルであり、子機５０（詳しくは、後述のＲＦモジュール６８）が無線通信に使用する無線チャンネルは、２８０ＭＨｚ帯にて各無線チャンネルの周波数間隔が１２．５ｋＨｚである８９個のチャンネルである。また、そのうち、データ信号のみの送受信を行う際には、４６チャンネルと８９チャンネルが使用され、音声信号を送受信する場合には、残りの１チャンネル〜４５チャンネル及び４７チャンネル〜８８チャンネルの何れかが使用される。また、以下の説明において、親機１０／子機５０間で利用される無線チャンネルを区別する場合には、４６，８９チャンネルを制御チャンネルといい、１〜４５，４７〜８８チャンネルを通信チャンネルという。
【００４６】
また、ＲＦモジュール３８は、外部から無線にて受信した信号の信号強度を検出して、その検出結果を無線通信制御部３２のＡ／Ｄ変換器に出力する。尚、本実施形態において、無線通信制御部３２のＡ／Ｄ変換器では、ＲＦモジュール３８から入力された検出結果を、８ビットのデジタル値に変換する。
【００４７】
無線通信制御部３２には、制御部２０やコンパンダ３６から出力されるデータ信号が入力され、無線通信制御部３２は、制御部２０からのデータ信号をコンパンダ３６に出力する。
【００４８】
また、無線通信制御部３２は、当該親機１０から子機５０と通信を開始する際、ＲＦモジュール３８にて検出される信号強度に基づき、使用可能な無線チャンネルを選択し、その結果をＲＦモジュール３８に送信する。
【００４９】
これにより、親機１０は、無線通信制御部３２が選択した無線チャンネルを用いて子機５０との無線通信を開始することとなる。
次に、子機５０は、子機５０全体の動作を制御する制御部６０と、表示パネル５３と、操作ボタン５４と、レシーバ６２と、マイク６４と、コンパンダ６６と、親機１０（詳しくは、ＲＦモジュール３８）との間で音声信号やデータ信号を無線通信により送受信するためのＲＦモジュール６８と、ＥＥＰＲＯＭ７０と、操作ボタン５４を背後から照らすための操作ボタンＬＥＤ７２と、子機５０全体に電源を供給する二次電池１０５（図１参照）を充電台８０から供給される電源電圧により充電する被充電回路５５と備えている。
【００５０】
コンパンダ６６は、親機１０から送信された無線信号をＲＦモジュール６８を介して取得し、その信号を音声信号とデータ信号とに切り分け、音声信号をレシーバ６２に送り、データ信号を制御部６０に送る。また、コンパンダ６６は、マイク６４からの音声信号や、制御部６０からのデータ信号をＲＦモジュール６８に送る。
【００５１】
ＲＦモジュール６８は、制御部６０と通信可能に構成されており、制御部６０からの指令に基づき、無線通信に使用する無線チャンネルを８９個の無線チャンネルの中から選択し、その選択した無線チャンネルを用いてコンパンダ６６からの出力信号を親機１０へ送信すると共に、親機１０から送信されてくる無線信号を受信する。
【００５２】
また、ＲＦモジュール６８は、外部から無線にて受信した信号の信号強度を検出して、その検出結果を、制御部６０に内蔵されたＡ／Ｄ変換器に出力する。尚、本実施形態において、制御部６０のＡ／Ｄ変換器では、ＲＦモジュール６８から入力された検出結果を、８ビットのデジタル値（以下、ＲＳＳＩ値という）に変換する。
【００５３】
制御部６０は、ＣＰＵ，ＲＡＭ，ＲＯＭ，Ａ／Ｄ変換器等を備えており、操作ボタン５４からの出力信号やコンパンダ６６からのデータ信号が入力される。
また、制御部６０は、親機１０との間で無線通信を行うためのデータ信号をコンパンダ６６に出力する。
【００５４】
また、制御部６０は、ＲＦモジュール６８と通信可能に構成されており、当該子機５０から親機１０と通信を開始する際、ＲＦモジュール６８にて検出される信号強度に基づき、使用可能な無線チャンネルを選択し、その結果をＲＦモジュール６８に送信する。
【００５５】
これにより、子機５０は、制御部６０が選択した無線チャンネルを用いて親機１０との無線通信を開始することとなる。
また更に、制御部６０は、子機５０が通信チャンネルを介して親機１０と無線通信を行っているときに、その通信チャンネルを介して親機１０から送信されてくる無線信号の信号強度を、ＲＦモジュール６８を介して周期的に取得し、取得した過去５回分の信号強度（即ち、ＲＳＳＩ値）の平均値を算出する。
【００５６】
そして、制御部６０は、算出した平均値とＲＯＭに記憶されている複数の閾値とを比較することにより、その平均値を段階的に数値化し、その数値化した結果に基づいて模式的な図形を生成し、その生成した図形を親機１０との通信状況として表示パネル５３に表示させる。尚、その具体的な説明は省略する。
【００５７】
次に、充電台８０は、充電回路８２を備え、外部の所要電源からの供給を受けることにより所定の電源電圧を生成し、子機５０に非接触型の電源供給を行う。
【００５８】
そこで、子機５０と充電台８０との間で行われる非接触型の電源供給に関して説明する。図１のブロック図に示すように、充電台８０の充電回路８２には一次側コイル１０１が設けられている。
【００５９】
一方、子機５０の被充電回路５５には、二次側コイル１０２と、共振用コンデンサ１０８と、整流回路１０３と、定電流回路１０４と、二次電池１０５とが設けられている。二次側コイル１０２は、充電台８０の一次側コイル１０１から発生する交流電力の磁束エネルギーを受電する受電部である。共振用コンデンサ１０８は、受電部である二次側コイル１０２から電流を取り出すときの電圧ドロップを小さくするものである。整流回路１０３は、ダイオード１０３Ａやコンデンサ１０３Ｂなどを組み合わせることによって、二次側コイル１０２で受電した交流電力を直流電力にする。定電流回路１０４は、整流回路１０３から出力された直流電流を一定電流とする。そして、二次電池１０５は、定電流回路１０４に接続されており、定電流回路１０４から出力された直流電流ＩAによって充電される。
【００６０】
さらに、本実施の形態では、子機５０の被充電回路５５において、整流回路１０３から出力された直流電圧を分枝する分圧抵抗１０６と、その分圧抵抗１０６で分枝された直流電圧の値をデジタルデータにするＡＤコンバータ１０７とが設けられている。そして、ＡＤコンバータ１０７のデジタルデータを制御部６０に入力することにより、二次電池１０５の充電電流値として、定電流回路１０４から出力された直流電流ＩAの値等を求めている。
【００６１】
そのため、制御部６０には、分圧抵抗１０６の抵抗比や定電流回路１０４の電圧・電流特性（後述する図５参照）がインプットされている。そして、制御部６０は、先ず、分圧抵抗１０６の抵抗比とＡＤコンバータ１０７のデジタルデータ（分圧抵抗１０６で分枝された直流電圧の値）により、整流回路１０３から出力された直流電圧Ｖの値を算出する。この点、整流回路１０３から出力された直流電圧Ｖは、定電流回路１０４に入力される直流電圧ＶINであることから、整流回路１０３から出力された直流電圧Ｖの値を取得することができれば、定電流回路１０４の電圧・電流特性により、定電流回路１０４から出力された直流電流ＩAの値（すなわち、二次電池１０５の充電電流値）を求めることができる。
【００６２】
図５は、定電流回路１０４の電圧・電流特性を示した図である。図５に示すように、定電流回路１０４では、定電流回路１０４に入力される直流電圧ＶIN（すなわち、整流回路１０３から出力される直流電圧）の値が電圧値ＶCを超えると、定電流回路１０４から出力される直流電流ＩAの値（すなわち、二次電池１０５の充電電流値）が電流値ＩCで一定となる特性がある。
【００６３】
さらに、定電流回路１０４では、定電流回路１０４に入力される直流電圧ＶIN（すなわち、整流回路１０３から出力される直流電圧）の値が、電圧値ＶC未満にあれば、定電流回路１０４から出力される直流電流ＩAの値（すなわち、二次電池１０５の充電電流値）と１次又は２次の比例関係にある。
【００６４】
従って、図５に示す定電流回路１０４の電圧・電流特性を使用すれば、定電流回路１０４に入力される直流電圧ＶIN（すなわち、整流回路１０３から出力される直流電圧）の値により、定電流回路１０４から出力される直流電流ＩAの値（すなわち、二次電池１０５の充電電流値）を算出することができる。
【００６５】
もっとも、本実施の形態では、二次電池１０５の充電を正常状態で行うためには、定電流回路１０４から出力される直流電流ＩAの値（すなわち、二次電池１０５の充電電流値）が、電流値ＩCまで要求されることはなく、電流値Ｉ1以上であれば十分である。その一方で、定電流回路１０４から出力される直流電流ＩAの値（すなわち、二次電池１０５の充電電流値）が電流値Ｉ2以下にあれば、二次電池１０５の充電が異常状態にあり、二次電池１０５の充電を完了することはできない。さらに、定電流回路１０４から出力される直流電流ＩAの値（すなわち、二次電池１０５の充電電流値）が電流値Ｉ1と電流値Ｉ2の間にあれば、二次電池１０５の充電電流値としては不十分であり、二次電池１０５の充電を完了するためには正常状態よりも充電時間が長くなる特殊状態にある。
【００６６】
この点、図５に示す定電流回路１０４の電圧・電流特性によれば、定電流回路１０４から出力される直流電流ＩAの値（すなわち、二次電池１０５の充電電流値）が電流値Ｉ1であるときには、定電流回路１０４に入力される直流電圧ＶIN（すなわち、整流回路１０３から出力される直流電圧）の値が電圧値Ｖ1である。また、定電流回路１０４から出力される直流電流ＩAの値（すなわち、二次電池１０５の充電電流値）が電流値Ｉ2であるときには、定電流回路１０４に入力される直流電圧ＶIN（すなわち、整流回路１０３から出力される直流電圧）の値が電圧値Ｖ2である。
【００６７】
従って、定電流回路１０４に入力される直流電圧ＶIN（すなわち、整流回路１０３から出力される直流電圧）の値を検知できれば、二次電池１０５の充電が正常状態・特殊状態・異常状態のいずれにあるかを判定することができる。
【００６８】
そこで、子機５０では、定電流回路１０４に入力される直流電圧ＶIN（すなわち、整流回路１０３から出力される直流電圧）の値によって、二次電池１０５の充電状態（正常状態・特殊状態・異常状態のいずれか）を判定し、その判定結果である二次電池１０５の充電状態を、表示パネル５３に表示したり、親機１０の表示パネル１３に表示させたりすることによって、ユーザに報知している。
【００６９】
図６は、子機５０が二次電池１０５の充電状態をユーザに報知するためのプログラムを示したフローチャート図である。尚、図６のフローチャートで示されたプログラムは、制御部６０のＲＯＭに記憶されており、制御部６０のＣＰＵにより実行される。
【００７０】
子機５０では、図６に示すように、先ず、ステップ（以下、「Ｓ」と略記する）１１において、制御部６０に分圧値が入力される。ここで、分圧値とは、分圧抵抗１０６で分枝された直流電圧の値をいい、上述したように、ＡＤコンバータ１０７でデジタルデータにされた後に制御部６０に入力される。
【００７１】
Ｓ１２では、定電流回路１０４に入力される直流電圧ＶINの値を算出する。ここでは、定電流回路１０４に入力される直流電圧ＶINの値として、整流回路１０３から出力される直流電圧の値を上記Ｓ１１の分圧値と分圧抵抗１０６の抵抗比により算出する。
【００７２】
Ｓ１３では、定電流回路１０４に入力される直流電圧ＶINの値が電圧値Ｖ1以上であるか否かを判定する。尚、電圧値Ｖ1は、上記図５で示された定電流回路１０４の電圧・電流特性に基づいた値である。ここで、定電流回路１０４に入力される直流電圧ＶINの値が電圧値Ｖ1以上であると判定した場合には（Ｓ１３：ＹＥＳ）、Ｓ１４に進んで、正常報知を行う。この正常報知では、二次電池１０５の充電が正常状態である旨のメッセージを表示パネル５３に表示する。その後は、Ｓ１９に進む。
【００７３】
一方、上記Ｓ１３において、定電流回路１０４に入力される直流電圧ＶINの値が電圧値Ｖ1以上でないと判定した場合には（Ｓ１３：ＮＯ）、Ｓ１５に進む。Ｓ１５では、定電流回路１０４に入力される直流電圧ＶINの値が電圧値Ｖ2以上であるか否かを判定する。尚、電圧値Ｖ2も、上記図５で示された定電流回路１０４の電圧・電流特性に基づいた値である。
【００７４】
ここで、定電流回路１０４に入力される直流電圧ＶINの値が電圧値Ｖ2以上であると判定した場合には（Ｓ１５：ＹＥＳ）、Ｓ１６に進んで、充電時間の推定を行う。充電時間とは、二次電池１０５の充電が完了するまでに要する時間をいい、例えば、以下の関係式（１）から算出する。
充電容量＝係数×充電電流値×充電時間  …（１）
この点、充電電流値は、上述したように、定電流回路１０４から出力される直流電流ＩAの値であり、上記図５で示された定電流回路１０４の電圧・電流特性に基づき、定電流回路１０４に入力される直流電圧ＶINの値（上記Ｓ１２の算出値）から算出される。
【００７５】
そして、Ｓ１７では、特殊報知を行う。この特殊報知では、二次電池１０５の充電時間が正常状態よりも長くなる特殊状態である旨のメッセージを、上記Ｓ１６で推定した充電時間の値とともに表示パネル５３に表示する。このとき、特殊状態であることを示す第１警告音をレシーバ６２を介して発してもよい。その後は、Ｓ１９に進む。
【００７６】
尚、二次電池１０５の充電時間の推定と報知は、上記Ｓ１４での正常報知で行ってもよい。すなわち、上記Ｓ１３において、定電流回路１０４に入力される直流電圧ＶINの値が電圧値Ｖ1以上であると判定した場合には（Ｓ１３：ＹＥＳ）、上記Ｓ１６の充電時間の推定を行い、その後、上記Ｓ１４において、二次電池１０５の充電が正常状態である旨のメッセージを、上記Ｓ１６で推定した充電時間の値とともに表示パネル５３に表示する。
【００７７】
一方、上記Ｓ１５において、定電流回路１０４に入力される直流電圧ＶINの値が電圧値Ｖ2以上でないと判定した場合には（Ｓ１５：ＮＯ）、Ｓ１８に進んで、異常報知を行う。この異常報知では、二次電池１０５の充電が異常状態（二次電池１０５の充電を完了することができない状態）である旨のメッセージを表示パネル５３に表示する。このとき、異常状態であることを示す第２警告音をレシーバ６２を介して発し続けてもよい。その後は、Ｓ１９に進む。
【００７８】
Ｓ１９では、親機１０に送信するか否かを判定する。この判定は、ユーザによる子機５０の環境設定に基づく。ここで、親機１０に送信しないと判定した場合には（Ｓ１９：ＮＯ）、本プログラムを終了する。
【００７９】
一方、親機１０に送信すると判定した場合には（Ｓ１９：ＹＥＳ）、Ｓ２０に進んで、親機１０に表示データを送信する。ここで、表示データとは、二次電池１０５の充電状態を示すデータを含んだ一連の制御データをいい、例えば、上記Ｓ１４，Ｓ１７，Ｓ１８で表示した各メッセージや上記Ｓ１６で算出した充電時間が含まれる。その後は、本プログラムを終了する。
【００８０】
尚、表示データの送信は、子機５０のＲＦモジュール６８と親機１０のＲＦモジュール３８間の無線通信により行われる。そして、表示データを受信した親機１０は、上記Ｓ１４，Ｓ１７，Ｓ１８と同様にして、メッセージや充電時間を表示パネル１３に表示し、また、警告音をハンドセット１２を介して発
する。もっとも、表示データの送信先は、子機５０と親機１０で構成される電話装置１とは別個の通信装置（例えば、パーソナル・コンピュータ）であってもよい。
【００８１】
さらに、図７のフローチャートで示されたプログラムのように、定電流回路１０４から出力される直流電流ＩAの値（すなわち、二次電池１０５の充電電流値）と２つの電流値Ｉ1，Ｉ2の大小関係から、二次電池１０５の充電状態（正常状態・特殊状態・異常状態のいずれか）を判定してもよい。この点、２つの電流値Ｉ1，Ｉ2とは、上記図５で示された定電流回路１０４の電圧・電流特性に基づいた値である。
【００８２】
尚、図７のフローチャートで示されたプログラムは、上記図６のフローチャートで示されたプログラムのＳ１２，Ｓ１３，Ｓ１５，Ｓ１６を除いて、上記図６のフローチャートで示されたプログラムと同様であるため、同じ処理については説明を省略し、以後は、異なる処理についてのみ説明する。
【００８３】
図７のフローチャートで示されたプログラムでは、上記図６のフローチャートで示されたプログラムのＳ１２に代わって、Ｓ１２の２が行われ、定電流回路１０４から出力される直流電流ＩAの値の算出が行われる。ここでは、先ず、定電流回路１０４に入力される直流電圧ＶINの値として、整流回路１０３から出力される直流電圧の値を上記Ｓ１１の分圧値と分圧抵抗１０６の抵抗比により算出する。次に、上記図５で示された定電流回路１０４の電圧・電流特性に基づいて、定電流回路１０４に入力される直流電圧ＶINの値より、定電流回路１０４から出力される直流電流ＩAの値が算出する。
【００８４】
また、図７のフローチャートで示されたプログラムでは、上記図６のフローチャートで示されたプログラムのＳ１３に代わって、Ｓ１３の２が行われ、定電流回路１０４から出力される直流電流ＩAの値が電流値Ｉ1以上であるか否かを判定する。ここで、定電流回路１０４から出力される直流電流ＩAの値が電流値Ｉ1以上である場合には（Ｓ１３の２：ＹＥＳ）、Ｓ１４に進み、定電流回路１０４から出力される直流電流ＩAの値が電流値Ｉ1以上でない場合には（Ｓ１３の２：ＮＯ）、Ｓ１５の２に進む。
【００８５】
さらに、図７のフローチャートで示されたプログラムでは、上記図６のフローチャートで示されたプログラムのＳ１５に代わって、Ｓ１５の２が行われ、定電流回路１０４から出力される直流電流ＩAの値が電流値Ｉ2以上であるか否かを判定する。ここで、定電流回路１０４から出力される直流電流ＩAの値が電流値Ｉ2以上である場合には（Ｓ１５の２：ＹＥＳ）、Ｓ１６に進み、定電流回路１０４から出力される直流電流ＩAの値が電流値Ｉ2以上でない場合には（Ｓ１５の２：ＮＯ）、Ｓ１８に進む。
尚、Ｓ１６における充電時間の推定では、上記Ｓ１２の２の算出値をそのまま使用する。
【００８６】
以上詳細に説明したように、子機５０では、図１に示すように、充電台８０の一次側コイル１０１から発生した交流電力の磁束エネルギーを二次側コイル１０２で受電すると、二次側コイル１０２で受電された交流電力が整流回路１０３で直流電力になる。そして、整流回路１０３から出力された直流電力は、定電流回路１０４で一定電流になった後に、二次電池１０５に充電される。
ここで、整流回路１０３から出力された直流電圧を分圧抵抗１０６で分枝し、分圧抵抗１０６で分枝された直流電圧の値をＡＤコンバータ１０７でデジタルデータにする。そして、制御部６０が、ＡＤコンバータ１０７のデジタルデータ又は定電流回路１０４の電圧・電流特性（図５参照）に基づいて、実際に二次電池１０５に充電されている最中の直流電流又は直流電圧の値として、定電流回路１０４に入力される直流電圧ＶIN（すなわち、整流回路１０３から出力される直流電圧）又は、定電流回路１０４から出力される直流電流ＩAの値（すなわち、二次電池１０５の充電電流値）を算出する（Ｓ１２，Ｓ１２の２）。さらに、制御部６０の算出結果に基づいて（Ｓ１３，Ｓ１５，Ｓ１３の２，Ｓ１５の２）、二次電池１０５の充電状態（正常状態・特殊状態・異常状態のいずれか）を表示パネル５３に表示する（Ｓ１４，Ｓ１７，Ｓ１８）。
【００８７】
従って、定電流回路１０４に入力される直流電圧ＶIN（すなわち、整流回路１０３から出力される直流電圧）又は、定電流回路１０４から出力される直流電流ＩAの値（すなわち、二次電池１０５の充電電流値）を算出することで、実際に二次電池１０５に充電されている最中の直流電流又は直流電圧の値を算出していることから、二次電池１０５の充電状態を３つ以上の複数の状態（本実施形態では、正常状態・特殊状態・異常状態の３つ）に区分けして報知することが可能であり、もって、充電状態をユーザに適切に知らせることができる。
【００８８】
具体的には、定電流回路１０４に入力される直流電圧ＶIN（すなわち、整流回路１０３から出力される直流電圧）が電圧値Ｖ1以上にあれば（Ｓ１３：ＹＥＳ）、あるいは、定電流回路１０４から出力される直流電流ＩAの値（すなわち、二次電池１０５の充電電流値）が電流値Ｉ1以上にあれば（Ｓ１３の２：ＹＥＳ）、二次電池１０５の充電状態が正常状態である旨のメッセージが表示パネル５３に表示される（Ｓ１４）。
【００８９】
よって、定電流回路１０４に入力される直流電圧ＶIN（すなわち、整流回路１０３から出力される直流電圧）と電圧値Ｖ1の大小関係又は、定電流回路１０４から出力される直流電流ＩAの値（すなわち、二次電池１０５の充電電流値）と電流値Ｉ1の大小関係を使用することにより、３つ以上に区分けされる二次電池１０５の充電状態の一つとして、充電が正常に行われている状態（正常状態）を検知でき、その状態をユーザに報知することができるので、その後のユーザ対応に貢献することが可能となる。
【００９０】
また、定電流回路１０４に入力される直流電圧ＶIN（すなわち、整流回路１０３から出力される直流電圧）が電圧値Ｖ1未満にあれば（Ｓ１３：ＮＯ）、あるいは、定電流回路１０４から出力される直流電流ＩAの値（すなわち、二次電池１０５の充電電流値）が電流値Ｉ1未満にあれば（Ｓ１３の２：ＮＯ）、所定条件を満たすことにより（Ｓ１５：ＹＥＳ又は、Ｓ１５の２：ＹＥＳ）、二次電池１０５の充電状態が正常状態よりも充電時間が長くなる特殊状態である旨のメッセージが表示パネル５３に表示される（Ｓ１７）。
【００９１】
よって、定電流回路１０４に入力される直流電圧ＶIN（すなわち、整流回路１０３から出力される直流電圧）と電圧値Ｖ1の大小関係又は、定電流回路１０４から出力される直流電流ＩAの値（すなわち、二次電池１０５の充電電流値）と電流値Ｉ1の大小関係等を使用することにより、３つ以上に区分けされる二次電池１０５の充電状態の一つとして、充電時間が普段よりも長くなる状態（特殊状態）を検知でき、その状態をユーザに報知することができるので、その後のユーザ対応に貢献することが可能となる。
【００９２】
また、定電流回路１０４に入力される直流電圧ＶIN（すなわち、整流回路１０３から出力される直流電圧）が電圧値Ｖ2未満にあれば（Ｓ１５：ＮＯ）、あるいは、定電流回路１０４から出力される直流電流ＩAの値（すなわち、二次電池１０５の充電電流値）が電流値Ｉ2未満にあれば（Ｓ１５の２：ＮＯ）、二次電池１０５の充電状態が異常状態である旨のメッセージが表示パネル５３に表示される（Ｓ１８）。
【００９３】
よって、定電流回路１０４に入力される直流電圧ＶIN（すなわち、整流回路１０３から出力される直流電圧）と電圧値Ｖ2の大小関係又は、定電流回路１０４から出力される直流電流ＩAの値（すなわち、二次電池１０５の充電電流値）と電流値Ｉ2の大小関係を使用することにより、３つ以上に区分けされる二次電池１０５の充電状態の一つとして、正常な充電ができない状態（異常状態）を検知でき、その状態をユーザに報知することができるので、その後のユーザ対応に貢献することが可能となる。
【００９４】
この点、実際に二次電池１０５に充電されている最中の直流電流又は直流電圧の関係は、定電流回路１０４に入力される直流電圧ＶIN（すなわち、整流回路１０３から出力される直流電圧）の値と定電流回路１０４から出力される直流電流ＩAの値（すなわち、二次電池１０５の充電電流値）の関係に置き換えることができる。それらの関係は、図５に示す定電流回路１０５の電圧・電流特性に基づいており、二次電池１０５の充電電流が不十分であれば、常に、図５に示す定電流回路１０５の電圧・電流特性の線形（１次比例）部分に該当することから、二次電池１０５の充電電流が不十分である状態を多数の状態（本実施形態では、特殊状態・異常状態の２つ）に区分けして判別することが可能となる。
【００９５】
また、二次電池１０５の充電状態が特殊状態である旨のメッセージが表示パネル５３に表示される際には（Ｓ１７）、上記関係式（１）により、制御部６０が二次電池１０５の充電時間を推定する（Ｓ１６）。これにより、充電に関する制御に役立たせることができる。例えば、本実施形態では、制御部６０が推定した二次電池１０５の充電時間を、二次電池１０５の充電状態が正常状態よりも充電時間が長くなる特殊状態である旨のメッセージとともに表示パネル５３に表示しており（Ｓ１７）、その後のユーザ対応に貢献できる。
【００９６】
また、二次電池１０５の充電状態（本実施形態では、正常状態・特殊状態・異常状態のいずれか）に関するデータは、子機５０から親機１０に無線通信で送信される（Ｓ２０）。そして、親機１０において、二次電池１０５の充電状態（本実施形態では、正常状態・特殊状態・異常状態のいずれか）が表示パネル１３に表示され、さらに、二次電池１０５の充電状態が特殊状態・異常状態にあれば警告音が発せられる。従って、ユーザは、子機５０から離れた位置に居ても、親機１０の近くに居れば、、子機５０における二次電池１０５の充電状態（本実施形態では、正常状態・特殊状態・異常状態のいずれか）を知ることが可能となる。
特に、子機５０における二次電池１０５の充電状態が異常状態にあれば、子機５０は動作不能を起こすことから、その旨を知らせることは、子機５０から離れた位置に居るユーザにとっては有意義である。
【００９７】
尚、本発明は上記実施の形態に限定されるものでなく、その趣旨を逸脱しない範囲で様々な変更が可能である。
例えば、図６のフローチャートで示されたプログラムでは、Ｓ１３，Ｓ１５，Ｓ１６のの各処理において、図５に示した定電流回路１０４の電圧・電流特性を使用している。この点、図５に示した定電流回路１０４の電圧・電流特性を、近似式等で保持してもよいが、二次電池１０５の充電状態の判別も含めて、一対一にデータ化したテーブルによって保持してもよい。図７のフローチャートで示されたプログラム（Ｓ１２の２，Ｓ１３の２，Ｓ１５の２）でも、同様である。
【００９８】
また、本実施形態では、充電台８０の一次側コイル１０１と子機５０の二次側コイル１０２の間で非接触の電源供給が行われることから、二次電池１０５に対して非接触型充電が行われる。従って、充電台８０に子機５０が正しく載置されない場合には、充電台８０の一次側コイル１０１と子機５０の二次側コイル１０２の間にズレ・浮きなどが生じ、二次電池１０５の充電状態が異常状態又は特殊状態である旨の表示がなされる。また、異物を挟んで充電台８０に子機５０が載置された場合でも、二次電池１０５の充電状態が異常状態又は特殊状態である旨の表示がなされる。
【００９９】
もっとも、上記両コイル１０１，１０２に代えて、例えば、図８に示すように、充電台８０の載置用凹部８１ａ内に充電用端子１８２を設けるとともに、子機５０に充電用端子１５５を設け、充電台８０に子機５０が載置された場合に両充電用端子１５５，１８２が接触することによって直流の電源供給が行われるものであってもよい。この場合には、整流回路１０３が省かれるが、二次電池１０５に対して接触型充電が行われる。また、非接触型充電と同様にして、充電台８０に子機５０が正しく載置されない場合には、充電台８０の充電用端子１８２と子機５０の充電用端子１５５の間にズレ・浮きなどが生じ、二次電池１０５の充電状態が異常状態又は特殊状態である旨の表示がなされる。また、異物を挟んで充電台８０に子機５０が載置された場合でも、二次電池１０５の充電状態が異常状態又は特殊状態である旨の表示がなされる。さらに、充電台８０の充電用端子１８２又は子機５０の充電用端子１５５に被膜が形成された場合でも、二次電池１０５の充電状態が異常状態又は特殊状態である旨の表示がなされる。
【産業上の利用可能性】
【０１００】
本発明は、コードレス電話装置の充電状態を検知・報知する技術に適用し得る。
【図面の簡単な説明】
【０１０１】
【図１】本実施形態の電話装置の電気的構成を表すブロック図である。
【図２】電話装置の子機および充電台の斜視図である。
【図３】電話装置の電気的構成を表すブロック図である。
【図４】電話装置の斜視図である。
【図５】電話装置の子機に搭載された定電流回路の電圧・電流特性を示した図である。
【図６】電話装置の子機が二次電池の充電状態をユーザに報知するためのプログラムを示したフローチャート図である。
【図７】電話装置の子機が二次電池の充電状態をユーザに報知するためのプログラムを示したフローチャート図である。
【図８】電話装置の斜視図である。
【符号の説明】
【０１０２】
１  電話装置
１０  親機
５０  子機
５５  被充電回路
６０  制御部
８０  充電台
８２  充電回路
１０１  一次側コイル
１０２  二次側コイル
１０３  整流回路
１０４  定電流回路
１０５  二次電池
１０６  分圧抵抗
１０７  ＡＤコンバータ
１５５  充電用端子
１８２  充電用端子
ＩA   定電流回路の出力電流値（充電電流値）
ＶIN  定電流回路の入力電圧値（充電電圧値）
【図１】
2008211928.tif 000003
【図２】
2008211928.tif 000004
【図３】
2008211928.tif 000005
【図４】
2008211928.tif 000006
【図５】
2008211928.tif 000007
【図６】
2008211928.tif 000008
【図７】
2008211928.tif 000009
【図８】
2008211928.tif 000010